(57)【要約】【課題】  火災受信機に異常が発生した場合に、主中継器が個々に端末機器を制御する防災システムにおいて、分散処理移行の際における端末機器の連動状態を状況に応じて適切に設定することにより、火災監視機能を向上させるとともに、保守点検時等の安全性を確保する。【解決手段】  火災受信機１０と、火災受信機１０により制御される複数の主中継器２０と、主中継器２０の各々に接続される端末機器３０と、を備え、端末機器３０を火災受信機１０及び／又は主中継器２０に連動させる連動状態と、この連動状態を停止させる連動停止状態と、の切替が可能な防災システム１において、主中継器１０は、火災監視用の運用モード又は保守点検用の調整モードの設定がなされるように構成され、火災受信機１０の異常を検出した場合に、運用モードにおいて連動状態とする一方、調整モードにおいて連動停止状態とする。【選択図】  図１
2005100110.tif 000002
【特許請求の範囲】
【請求項１】
火災受信機と、前記火災受信機により制御される複数の主中継器と、前記主中継器の各々に接続される端末機器と、を備え、前記端末機器を前記火災受信機及び／又は前記主中継器に連動させる連動状態と、前記連動状態を停止させる連動停止状態と、の切替が可能な防災システムにおいて、
前記主中継器は、
火災監視用の運用モード又は保守点検用の調整モードの設定がなされるように構成され、前記火災受信機の異常を検出した場合に、前記運用モードにおいて前記連動状態とする一方、前記調整モードにおいて前記連動停止状態とすることを特徴とする防災システム。
【請求項２】
前記火災受信機が異常状態から正常状態に移行した場合に、前記火災受信機及び／又は前記主中継器と前記端末機器との連動関係を異常発生前の関係に自動的に復帰させるように構成されることを特徴とする請求項１に記載の防災システム。
【請求項３】
前記火災受信機は、
操作されることにより前記連動停止状態を実現させる連動停止スイッチを有し、
異常状態から正常状態に移行した場合に、異常発生前の前記連動停止スイッチの状態に係る情報を、前記各主中継器に送信することを特徴とする請求項２に記載の防災システム。
【請求項４】
前記主中継器毎に、前記運用モード又は前記調整モードの設定がなされるように構成されることを特徴とする請求項１から３の何れか一項に記載の防災システム。
【請求項５】
前記火災受信機は、
前記各主中継器に設定されたモードを表示する表示手段を有することを特徴とする請求項１から４の何れか一項に記載の防災システム。
【請求項６】
前記表示手段は、
さらに前記各主中継器の異常状態と正常状態とを異なる色で表示することを特徴とする請求項５に記載の防災システム。
【発明の詳細な説明】
【技術分野】
【０００１】
本発明は、防災システムに関する。
【背景技術】
【０００２】
従来より、火災受信機と、この火災受信機により制御される複数の主中継器と、主中継器の各々に接続される端末機器（火災感知器や防排煙機器等）と、を備えた防災システムが提案されている。かかる防災システムにおいては、火災受信機が各主中継器を介して集中的に端末機器を制御することにより、火災監視を行っている。
【０００３】
また、現在においては、火災受信機と各主中継器とを接続する伝送線に断線等が生じたり、火災受信機自体が故障したりして通信不可能となった場合においても、主中継器が各々独立して端末機器を制御して火災監視を行う「自律分散型」の防災システムが提案されている（例えば、特許文献１参照。）。
【０００４】
このような「自律分散型」の防災システムにおいては、保守点検時等に火災受信機の電源が落とされると、火災受信機による集中制御の際に常時使用されていた設定状態が解除されてしまう。従って、火災受信機に電源を投入して集中制御を再開させるためには、入力操作によって元の設定状態に復旧させる必要があり、このような復旧作業に多くの時間や労力を要していた。
【０００５】
かかる問題を解決するために、近年においては、火災受信機の電源が落とされた場合にも、主中継器において元の設定状態を維持することが可能な火災報知設備が提案されている（例えば、特許文献２参照。）。
【特許文献１】特開２００１−９３０５７号公報（第３頁、第１図）
【特許文献２】特開平８−１６１６７５号公報（第２頁、第２図）
【発明の開示】
【発明が解決しようとする課題】
【０００６】
ところで、特許文献１に記載されたような従来の「自律分散型」の防災システムにおいては、火災受信機や各主中継器に設けた「連動停止スイッチ」を操作することにより、火災受信機と端末機器との連動を停止させる設定（連動停止設定）を行っている。
【０００７】
このような連動停止設定がなされた状態で火災受信機に異常が発生すると、分散処理に移行した際に連動停止設定が残存して、主中継器による端末機器の制御が不可能となる場合がある。かかる場合には、適切な火災監視を行うことができず、人命保護・財産保全といった防災システムの主たる目的が達成されないこととなる。
【０００８】
また、特許文献２に記載されたような火災報知設備を採用すると、火災受信機の電源が落とされた場合においても、主中継器において元の設定状態が維持されるため、保守点検時等に端末機器が予期せぬ動作を行う場合があり、安全性に問題があった。
【０００９】
本発明の課題は、火災受信機に異常が発生した場合に、主中継器が個々に端末機器を制御する（分散処理を行う）防災システムにおいて、分散処理移行の際における端末機器の連動状態を状況に応じて適切に設定することにより、火災監視機能を向上させるとともに、保守点検時等の安全性を確保することである。
【課題を解決するための手段】
【００１０】
以上の課題を解決するため、請求項１に記載の発明は、
火災受信機と、前記火災受信機により制御される複数の主中継器と、前記主中継器の各々に接続される端末機器と、を備え、前記端末機器を前記火災受信機及び／又は前記主中継器に連動させる連動状態と、前記連動状態を停止させる連動停止状態と、の切替が可能な防災システムにおいて、
前記主中継器は、
火災監視用の運用モード又は保守点検用の調整モードの設定がなされるように構成され、前記火災受信機の異常を検出した場合に、前記運用モードにおいて前記連動状態とする一方、前記調整モードにおいて前記連動停止状態とすることを特徴とする。
【００１１】
請求項１に記載の発明によれば、主中継器は、火災受信機の異常を検出した場合に、火災監視用の運用モードにおいて「連動状態」（端末機器を連動させた状態）とする。このため、運用モードにおいて端末機器の連動を回復させ、主中継器による端末機器の制御が可能となる。この結果、確実に火災監視を行うことができ、人命保護・財産保全に寄与することができる。
【００１２】
また、請求項１に記載の発明によれば、主中継器は、火災受信機の異常を検出した場合に、保守点検用の調整モードにおいて「連動停止状態」（端末機器の連動状態を停止させた状態）とする。このため、調整モードにおいて端末機器の連動を停止させることができ、端末機器の予期せぬ動作を阻止することが可能となる。この結果、安全・確実に保守点検を実施することができる。
【００１３】
請求項２に記載の発明は、請求項１に記載の防災システムにおいて、
前記火災受信機が異常状態から正常状態に移行した場合に、前記火災受信機及び／又は前記主中継器と前記端末機器との連動関係を異常発生前の関係に自動的に復帰させるように構成されることを特徴とする。
【００１４】
請求項２に記載の発明によれば、火災受信機が異常状態から正常状態に移行した場合に、火災受信機及び／又は主中継器と端末機器との連動関係を異常発生前の関係に自動的に復帰させることができる。例えば、火災受信機の異常発生前に、システムが「連動状態」とされている場合には、この「連動状態」を自動的に復帰させる（すなわち、火災受信機及び／又は主中継器と端末機器との連動状態を自動的に復帰させる）ことができる。一方、火災受信機の異常発生前に、システムが「連動停止状態」とされている場合には、この「連動停止状態」を自動的に復帰させる（すなわち、火災受信機及び／又は主中継器と端末機器との連動状態を自動的に停止させる）ことができる。従って、火災受信機が正常状態に回復した場合に、連動状態又は連動停止状態を回復させるための設定を再度行う必要がない。
【００１５】
請求項３に記載の発明は、請求項２に記載の防災システムにおいて、
前記火災受信機は、
操作されることにより前記連動停止状態を実現させる連動停止スイッチを有し、
異常状態から正常状態に移行した場合に、異常発生前の前記連動停止スイッチの状態に係る情報を、前記各主中継器に送信することを特徴とする。
【００１６】
請求項４に記載の発明は、請求項１から３の何れか一項に記載の防災システムにおいて、
前記主中継器毎に、前記運用モード又は前記調整モードの設定がなされるように構成されることを特徴とする。
【００１７】
請求項４に記載の発明によれば、主中継器毎に、運用モード又は調整モードの設定を行うことができるので、種々の状況に応じた柔軟な運用が可能となる。例えば、保守点検を要する一部の主中継器群においてのみ「調整モード」の設定を行い、残りの主中継器群において「運用モード」の設定を行うことにより、保守点検と火災監視とを同時に実現させることができる。
【００１８】
請求項５に記載の発明は、請求項１から４の何れか一項に記載の防災システムにおいて、
前記火災受信機は、
前記各主中継器に設定されたモードを表示する表示手段を有することを特徴とする。
【００１９】
請求項５に記載の発明によれば、火災受信機に設けられた表示手段により、各主中継器に設定されたモード（運用モード又は調整モード）を視覚的に確認することができる。
【００２０】
請求項６に記載の発明は、請求項５に記載の防災システムにおいて、
前記表示手段は、
さらに前記各主中継器の異常状態と正常状態とを異なる色で表示することを特徴とする。
【００２１】
請求項６に記載の発明によれば、各主中継器が異常状態にあるか、正常状態にあるか、を容易に認識することができる。
【発明の効果】
【００２２】
本発明によれば、火災受信機に異常が発生した場合に、主中継器が個々に端末機器を制御する（分散処理を行う）防災システムにおいて、分散処理移行の際における端末機器の連動状態を状況に応じて適切に設定することができる。この結果、火災監視機能を向上させて人命保護・財産保全に寄与することができるとともに、保守点検時等の安全性を確保することができる。
【発明を実施するための最良の形態】
【００２３】
以下、図を参照して本発明の実施の形態について詳細に説明する。
【００２４】
まず、図１を用いて、本実施の形態に係る防災システム１の全体構成を説明する。図１は、本実施の形態に係る防災システム１の全体構成を示すブロック図である。
【００２５】
防災システム１は、図１に示すように、防災システム１全体の制御を行う火災受信機１０、主幹線Ｌ1を介して火災受信機１０と接続される複数の主中継器２０、幹線Ｌ2を介して各主中継器２０に接続された複数の端末機器３０（火災感知器、地区ベル、防排煙機器等）を備えて構成されている。本実施の形態においては、２系統のループ状の信号線からなる主幹線Ｌ1を用いた「ループバック方式」を採用しているため、１系統の信号線において断線・短絡等が発生した場合においても伝送が行えるようになっている。
【００２６】
防災システム１は、通常時は、火災受信機１０が主中継器２０を介して端末機器３０を集中制御するものであるとともに、火災受信機１０の異常が発生した場合には、各主中継器２０が個々に端末機器３０を制御する「分散処理」を行うものである。ここで、「火災受信機１０の異常」とは、火災受信機１０自体の故障や、２系統の信号線全ての断線・短絡等に起因して、火災受信機１０と主中継器２０との通信が遮断されたことを意味する。
【００２７】
次に、図２〜図４を用いて、火災受信機１０の構成を説明する。図２は、火災受信機１０の構成を示すブロック図であり、図３（ａ）は、火災受信機１０に設けられるパネル群を示す図であり、図３（ｂ）は、図３（ａ）のＢ部分の拡大図である。また、図４は、火災受信機１０の液晶ディスプレイ１５ｃに表示されたモード設定画面を示す図である。
【００２８】
火災受信機１０は、図２に示すように、ＣＰＵ１１、ＲＯＭ１２、ＲＡＭ１３、操作部１４、表示部１５、音響部１６、主幹線Ｉ／Ｆ１７、等を備えて構成されている。
【００２９】
ＣＰＵ１１は、ＲＯＭ１２内の制御プログラムを実行することにより、火災受信機１０自体を制御するとともに、各主中継器２０を介して端末機器３０を集中制御する。ＲＯＭ１２は、火災受信機１０自体を制御する各種制御プログラムや各種データのほか、端末機器３０を集中制御するための各種制御プログラムや各種データを格納するメモリである。
【００３０】
ＲＡＭ１３は、ＲＯＭ１２内の制御プログラムを展開するための作業領域と、ＣＰＵ１１に対する所定の指令信号を受けて端末機器３０を制御する際にＲＯＭ１２から読み込まれた各種データを一時的に記憶する記憶領域と、を有するメモリである。
【００３１】
操作部１４は、タッチパネルや各種スイッチ（後述）から構成されており、操作されることによりＣＰＵ１１に対して所定の指令信号（連動停止信号等）を送出するものである。表示部１５は、表示灯１５ａや液晶ディスプレイ１５ｃ（後述）から構成されており、各主中継器２０のモード設定状況や、各主中継器２０の異常の有無等を表示するものである。
【００３２】
音響部１６は、ＣＰＵ１１の指令に基づいて警報音を発するものである。主幹線Ｉ／Ｆ１７には、主幹線Ｌ1が接続される。主幹線Ｉ／Ｆ１７は、火災受信機１０のデータ通信動作を制御し、データの転送・受信等を行うものである。
【００３３】
火災受信機１０の前面には、図３（ａ）に示すように、警報表示パネル１０ａ、システム状態表示パネル１０ｂ、液晶表示パネル１０ｃ、スイッチ操作パネル１０ｄ、音孔パネル１０ｅ、等の複数のパネルが設けられている。
【００３４】
警報表示パネル１０ａには、警報の種類を表示する表示窓１５ａが設けられており、端末機器３０により検出された「火災」や「ガス漏れ」等の異常を作業者に報知するものである。また、システム状態表示パネル１０ｂは、火災受信機１０や各主中継器２０の状態に係る情報（システム情報）を表示するとともに、故障情報や保守情報を表示する表示窓１５ｂを備えるものである。
【００３５】
液晶表示パネル１０ｃは、主中継器２０のモードを設定するための画面（モード設定画面：図４参照）や、端末機器３０の連動状態を設定する画面等を表示する液晶ディスプレイ１５ｃを有している。作業者は、液晶ディスプレイ１５ｃに表示されたモード設定画面を視認することより、主中継器２０のモードを視覚的に確認することができる。すなわち、液晶ディスプレイ１５ｃは、本発明における表示手段である。
【００３６】
液晶ディスプレイ１５ｃは、タッチパネル構造を有している。液晶ディスプレイ１５ｃに表示されるモード設定画面（図４参照）の右側下部には、「運用モード」と、「調整モード」と、の何れかのモードを設定するためのスイッチ（運用モード設定スイッチＳ1、調整モード設定スイッチＳ2）が設けられている。
【００３７】
また、本実施の形態においては、モード設定画面（図４参照）の左側から中央にかけて、各主中継器２０を「ＭＲＳ−＊＊」（＊＊：０１、０２、・・・）と表示することとしており、表示された部分は全て主中継器選択スイッチＳ3として機能するようになっている。さらに、主中継器選択スイッチＳ3の右側には、主中継器２０のモードの設定状態が表示される表示窓を設けており、「運用モード」を「緑色」で、「調整モード」を黄色で、各々表示することとしている。
【００３８】
主中継器２０のモード設定を行うには、所望の主中継器２０（例えば、「ＭＲＳ−０１」）に対応する主中継器選択スイッチＳ3を押圧操作して選択した後、運用モード設定スイッチＳ1又は調整モード設定スイッチＳ2を押圧操作して、主中継器２０のモード設定を行うようにする。
【００３９】
また、図４のモード設定画面の右側上部に設けられた全選択スイッチＳ4又は全解除スイッチＳ5を押圧操作することにより、全ての主中継器２０の選択又は選択解除を行うことができる。このため、例えば、全選択スイッチＳ4を押圧操作した状態で所望のモード設定スイッチ（例えば、運用モード設定スイッチＳ1）を押圧操作することにより、一挙にモード設定を行うことができる。
【００４０】
また、本実施の形態においては、何れかの主中継器２０（例えば「ＭＲＳ−２７」〜「ＭＲＳ−３４」）に異常が発生した場合に、その主中継器２０の右側の表示窓を、モードに関わらず「赤色」で表示することとしている。すなわち、正常な主中継器２０は「緑色」又は「黄色」で表示されるのに対し、異常が発生した主中継器２０は「赤色」で表示されることとなる。
【００４１】
スイッチ操作パネル１０ｄは、図３（ｂ）に示すように、保守点検時等に使用する一括連動停止スイッチ１４ａ、地区音響の鳴動を一時的に停止させる地区音響一時停止スイッチ１４ｂ、非常放送設備への移報を停止させる非常放送移報停止スイッチ１４ｃ、火災受信機１０の音孔パネル１０ｅからの音声の出力を停止させる音響停止スイッチ１４ｄ、等を備えている。
【００４２】
一括連動停止スイッチ１４ａ、地区音響一時停止スイッチ１４ｂ及び非常放送移報停止スイッチ１４ｃは、本発明における連動停止スイッチであり、これら連動停止スイッチを操作することにより、主中継器１０に接続されている端末機器３０の連動を停止させるための設定（連動停止設定）を行うことができる。
【００４３】
なお、スイッチ操作パネル１０ｄに設けられた各スイッチ（一括連動停止スイッチ１４ａ、地区音響一時停止スイッチ１４ｂ、非常放送移報停止スイッチ１４ｃ、音響停止スイッチ１４ｄ）と、液晶表示パネル１０ｃに設けられたタッチパネル構造を有する液晶ディスプレイ１５ｃと、は操作部１４を構成している。
【００４４】
また、警報表示パネル１０ａに設けられた表示窓１５ａと、システム状態表示パネル１０ｂに設けられた表示窓１５ｂと、液晶表示パネル１０ｃに設けられた液晶ディスプレイ１５ｃと、は表示部１５を構成している。
【００４５】
次に、図５を用いて、主中継器２０の構成を説明する。図５は、主中継器２０の構成を示すブロック図である。
【００４６】
主中継器２０は、図５に示すように、ＣＰＵ２１、ＲＯＭ２２、ＲＡＭ２３、主幹線Ｉ／Ｆ２４、幹線Ｉ／Ｆ２５、等を備えて構成されている。
【００４７】
ＣＰＵ２１は、ＲＯＭ２２内の制御プログラムを実行することにより、主中継器２０自体を制御するとともに、分散処理に移行した際に端末機器３０を制御する。ＲＯＭ２２は、主中継器２０自体を制御する各種制御プログラムや各種データのほか、端末機器３０を集中制御するための各種制御プログラムや各種データを格納するメモリである。
【００４８】
ＲＡＭ２３は、ＲＯＭ２２内の制御プログラムを展開するための作業領域と、ＣＰＵ２１に対する所定の指令信号を受けてＲＯＭ２２から読み込まれた各種データ等を一時的に記憶する記憶領域と、を有するメモリである。なお、火災受信機１０の液晶ディスプレイ１５ｃに表示されたモード設定画面（図４参照）を用いて設定された主中継器２０のモードに係る情報は、主中継器２０のＲＡＭ２３に記憶される。
【００４９】
主幹線Ｉ／Ｆ２４には、主幹線Ｌ1が接続されている。主幹線Ｉ／Ｆ２４は、主中継器２０と火災受信機１０との間のデータ通信動作と、主中継器２０同士におけるデータ通信動作と、を制御するものである。幹線Ｉ／Ｆ２５には、幹線Ｌ2が接続されている。幹線Ｉ／Ｆ２５は、主中継器２０と端末機器３０との間のデータ通信動作を制御するものである。
【００５０】
次に、本実施の形態に係る防災システム１の動作について説明する。
【００５１】
＜火災監視時における動作＞
最初に、防災システム１を用いて火災監視を行う場合の動作について説明する。まず、作業者が、火災受信機１０の液晶ディスプレイ１５ｃに表示されたモード設定画面（図４参照）において、主中継器選択スイッチＳ3を押圧操作することにより、火災監視を行わせる主中継器２０（例えば、「ＭＲＳ−０１」〜「ＭＲＳ−２２」）を選択する。
【００５２】
次いで、作業者は、運用モード設定スイッチＳ1を押圧操作することにより、選択した主中継器２０（「ＭＲＳ−０１」〜「ＭＲＳ−２２」）を「運用モード」にする。すると、火災受信機１０のＣＰＵ１１は、選択された主中継器２０に対して運用モード設定信号を送出する。この運用モード設定信号を受けた主中継器２０のＣＰＵ２１は、ＲＡＭ２３に運用モード選択情報を記憶させる。
【００５３】
次いで、作業者が、火災受信機１０のスイッチ操作パネル１０ｄに設けられた連動停止スイッチ群の何れか（例えば、地区音響一時停止スイッチ１４ｂ）を操作すると、火災受信機１０のＣＰＵ１１は、選択された主中継器２０に対して、連動停止信号（地区音響一時停止信号）を送出する。この連動停止信号を受けた主中継器２０のＣＰＵ２１は、ＲＡＭ２３に連動停止情報（地区音響一時停止情報）を記憶させて、端末機器３０（地区ベル）の連動を一時的に停止させるための設定（連動停止設定）を行う。
【００５４】
このような連動停止設定がなされた状態（連動停止状態）において、火災受信機１０のＣＰＵ１１が端末機器３０（例えば、火災感知器）を介して火災を感知した場合には、ＣＰＵ１１は、警報表示パネル１０ａの表示窓１５ａに所定の表示を行って火災の発生を作業者に報知するとともに、火災を感知した端末機器３０が接続されている主中継器２０を制御して、所定の連動動作を実現させる。
【００５５】
一方、火災受信機１０の異常が発生することにより、火災受信機１０と主中継器２０との通信が遮断された場合には、運用モードに設定された主中継器２０のＣＰＵ２１は、この火災受信機１０の異常を検出して分散処理に移行し、接続されている端末機器３０を個々に制御する。運用モードに設定された主中継器２０のＣＰＵ２１は、かかる分散処理に移行すると同時に、ＲＡＭ２３内の連動停止情報（地区音響一時停止情報）を消去することにより、端末機器３０（地区ベル）の連動状態を回復させる。従って、主中継器２０のＣＰＵ２１は、分散処理移行後においては、全ての端末機器３０を連動させて火災監視を行うことができる。
【００５６】
この後、火災受信機１０が正常状態に回復した場合には、火災受信機１０のＣＰＵ１１は、異常発生前のスイッチ状態（例えば、地区音響一時停止スイッチ１４ｂが操作されている状態）を自動的に復帰させる。具体的には、火災受信機１０のＣＰＵ１１は、異常発生前のスイッチ状態を検出し、主中継器２０に対して再び連動停止信号（地区音響一時停止信号）を送出する。この連動停止信号を受けた主中継器２０のＣＰＵ２１は、ＲＡＭ２３に連動停止情報（地区音響一時停止情報）を記憶させ、端末機器３０（地区ベル）の連動を一時的に停止させる。
【００５７】
＜保守点検時等における動作＞
続いて、防災システム１の保守点検時やシステム施工時における動作について説明する。まず、作業者は、火災受信機１０の液晶ディスプレイ１５ｃに表示されたモード設定画面（図４参照）において、主中継器選択スイッチＳ3を押圧操作することにより、保守点検を行う主中継器２０（例えば、「ＭＲＳ−２３」〜「ＭＲＳ−２６」）を選択する。
【００５８】
次いで、作業者は、調整モード設定スイッチＳ2を押圧操作することにより、選択した主中継器２０（「ＭＲＳ−２３」〜「ＭＲＳ−２６」）を「調整モード」にする。すると、火災受信機１０のＣＰＵ１１は、選択された主中継器２０に対して調整モード設定信号を送出する。この調整モード設定信号を受けた主中継器２０のＣＰＵ２１は、ＲＡＭ２３に調整モード選択情報を記憶させる。
【００５９】
この際、作業者が、火災受信機１０のスイッチ操作パネル１０ｄに設けられた連動停止スイッチ群の何れか（例えば、地区音響一時停止スイッチ１４ｂ）を操作すると、火災受信機１０のＣＰＵ１１は、選択された主中継器２０に対して、連動停止信号（地区音響一時停止信号）を送出する。この連動停止信号を受けた主中継器２０のＣＰＵ２１は、ＲＡＭ２３に連動停止情報（地区音響一時停止情報）を記憶させることにより、端末機器３０（地区ベル）の連動を一時的に停止させるための設定（連動停止設定）を行う。
【００６０】
このような連動停止設定がなされた状態（連動停止状態）において、保守点検等のために火災受信機１０の電源を落として擬似的な異常状態を発生させると、調整モードに設定された主中継器２０のＣＰＵ２１は、火災受信機１０の異常を検出して分散処理に移行し、接続されている端末機器３０を個々に制御する。調整モードに設定された各主中継器２０のＣＰＵ２１は、かかる分散処理に移行すると同時に、ＲＡＭ２３内の連動停止情報（例えば、地区音響一時停止情報）を維持するとともに、他の連動状態を全て連動停止状態とする。すなわち、調整モードに設定された主中継器２０のＣＰＵ２１は、分散処理移行時に全ての端末機器３０の連動を停止させる。従って、保守点検時等において、連動停止設定を行った地区ベルや他の端末機器３０が予期せずに動作するようなことがなく、安全性を確保することができる。
【００６１】
以上説明した実施の形態に係る防災システム１においては、運用モードに設定された主中継器２０のＣＰＵ２１は、連動停止設定がなされた状態で火災受信機１０の異常を検出した場合に、ＲＡＭ２３内の連動停止情報を消去する（すなわち、連動停止設定を解除して連動状態とする）。このため、運用モードにおいて端末機器３０の連動を回復させ、主中継器２０による端末機器３０の制御を実現させることができる。この結果、確実に火災監視を行うことができ、人命保護・財産保全に寄与することができる。
【００６２】
また、以上説明した実施の形態に係る防災システム１においては、調整モードに設定された主中継器２０のＣＰＵ２１は、連動停止設定がなされた状態で火災受信機１０の異常を検出した場合に、ＲＡＭ２３内の連動停止情報を維持するとともに、他の連動状態を全て連動停止状態とする。このため、調整モードにおいて端末機器３０の連動を停止させることができ、端末機器３０の予期せぬ動作を阻止することが可能となる。この結果、安全・確実に保守点検等を実施することができる。
【００６３】
また、以上説明した実施の形態に係る防災システム１においては、火災受信機１０が異常状態から正常状態に移行した場合に、連動停止スイッチの状態を異常発生前の状態（例えば、地区音響一時停止スイッチ１４ｂが操作されている状態）に自動的に復帰させることができる。従って、火災受信機１０が正常状態に回復した場合に、連動停止設定を再度行う必要がない。
【００６４】
また、以上説明した実施の形態に係る防災システム１においては、主中継器２０毎に、運用モード又は調整モードの設定を行うことができるので、種々の状況に応じた柔軟な運用が可能となる。例えば、保守点検を要する一部の主中継器２０群（例えば、「ＭＲＳ−２３」〜「ＭＲＳ−２６」）においてのみ「調整モード」の設定を行い、残りの主中継器２０群において「運用モード」の設定を行うことにより、保守点検と火災監視とを同時に実現させることができる。
【００６５】
また、以上説明した実施の形態に係る防災システム１においては、火災受信機１０に設けられた液晶ディスプレイ１５ｃにより、各主中継器２０に設定されたモード（運用モード又は調整モード）を視覚的に確認することができる。
【００６６】
また、以上説明した実施の形態に係る防災システム１においては、火災受信機１０に設けられた液晶ディスプレイ１５ｃに、各主中継器２０の異常状態と正常状態とが異なる色で表示されるので、各主中継器２０が異常状態にあるか、正常状態にあるか、を作業者が容易に認識することができる。
【００６７】
なお、以上の実施の形態においては、火災受信機１０のスイッチ操作パネル１０ｄに設けられた連動停止スイッチ群を操作することにより連動停止設定を行った例を示したが、火災受信機１０の液晶ディスプレイ１５ｃに表示された連動停止設定画面（図６参照）のタッチパネルスイッチを利用して、連動停止設定を行うこともできる。例えば、図６に示した連動停止設定画面の左側に設けられた防火戸スイッチＳ6を押圧操作することにより、端末機器３０の中の「防火戸」が連動停止設定となる。
【００６８】
また、以上の実施の形態においては、火災受信機１０のスイッチ操作パネル１０ｄに設けられた運用モード設定スイッチＳ1や調整モード設定スイッチＳ2を操作することにより、主中継器２０のモード設定を行った例を示したが、主中継器２０毎にモード設定スイッチを設け、このスイッチを個々に操作することによりモード設定を行うこともできる。
【００６９】
また、以上の実施の形態においては、火災受信機１０が異常状態から正常状態に移行した場合に、火災受信機１０のＣＰＵ１１が異常発生前のスイッチ状態を検出し、主中継器２０に対して再び連動停止信号を送出することにより、異常発生前の状態を自動的に復帰させる例を示したが、各主中継器２０のＲＡＭ２３に異常発生前の連動情報を記憶させ、この連動情報を用いて各主中継器２０が自律的に異常発生前の状態に復帰するような構成を採用することもできる。
【００７０】
また、以上の実施の形態においては、「ループバック方式」（２系統のループ状の信号線からなる主幹線Ｌ1によって火災受信機１０と各主中継器２０とを接続する方式）を採用した防災システム１に本発明を適用した例を示したが、火災受信機１０と各主中継器２０との接続方式や通信方式はこれに限られるものではない。
【図面の簡単な説明】
【００７１】
【図１】本発明の実施の形態に係る防災システムの全体構成を示すブロック図である。
【図２】図１に示した防災システムに含まれる火災受信機の構成を示すブロック図である。
【図３】（ａ）は、図２に示した火災受信機の前面に設けられるパネル群を示す図であり、（ｂ）は、（ａ）のＢ部分の拡大図である。
【図４】図２に示した火災受信機の液晶ディスプレイに表示されたモード設定画面を示す図である。
【図５】図１に示した防災システムに含まれる主中継器の構成を示すブロック図である。
【図６】図２に示した火災受信機の液晶ディスプレイに表示された連動停止設定画面を示す図である。
【符号の説明】
【００７２】
１      防災システム
１０      火災受信機
１４ａ    一括連動停止スイッチ（連動停止スイッチ）
１４ｂ    地区音響一時停止スイッチ（連動停止スイッチ）
１４ｃ    非常放送移報停止スイッチ（連動停止スイッチ）
１５ｃ    液晶ディスプレイ（表示手段）
２０      主中継器
３０      端末機器
【図１】
2005100110.tif 000003
【図２】
2005100110.tif 000004
【図３】
2005100110.tif 000005
【図４】
2005100110.tif 000006
【図５】
2005100110.tif 000007
【図６】
2005100110.tif 000008